(57)【要約】【課題】飲料水容器本体内の飲料水を短時間に効率良く冷却して、特に飲料水容器本体の交換時にも短時間に冷却水を注出させることが出来る飲料水供給機における飲料水容器の冷却装置を提供する。【解決手段】可撓性袋体６を収容した箱状ケース７は、箱状ケース７の内壁面と可撓性袋体６との間に冷風Ｑの循環通路１０を形成すると共に、側面の一部には可撓性袋体６の注出栓５が突出する切欠部７ａを形成し、底面の一部には、可撓性袋体６の底面が露出する切欠穴７ｂが形成され、上面の後方には、冷風循環経路１０ａに連通する冷風通気穴７ｃが形成されている。冷却手段９は仕切りプレート１１と冷却装置１２とで構成され、冷却装置１２は、容器収容部４の下面４ａに収容可能に構成された枠体１３内に回転駆動可能な一対の冷却ファン１４Ａと、エバポレータ１４と複数枚のアルミニュウム板から成る冷却フィン１５とが収容され、一対の冷却ファン１４Ａは駆動モータにより所定の速度で回転してエアーＡをエバポレータ１４及び冷却フィン１５側に送風するようになっている。【選択図】  図２
2007230625.tif 000002
【特許請求の範囲】
【請求項１】
飲料水を封入した可撓性袋体を箱状ケース内に収容して成る飲料水容器本体を飲料水供給機本体の容器収容室に配設し、前記可撓性袋体内の飲料水を容器収容室に設けた冷却手段により冷却し、容器収容部の下方に配置した注出口から冷水を注出させるように構成した飲料水供給機における飲料水容器の冷却装置であって、
前記容器収容部の下部に冷風を送風する冷却装置を設置すると共に、この冷却装置上に仕切りプレートを介して飲料水を封入した可撓性袋体を収容した箱状ケースを載置し、この箱状ケースに、冷風を取り入れて循環させながら飲料水容器本体内の飲料水を冷却する冷却経路と、冷風を箱状ケースと容器収容部との間に排気させ、前記冷却手段に戻す冷風循環経路を設けたことを特徴とする飲料水供給機における飲料水容器の冷却装置。
【請求項２】
前記冷却装置が、回転駆動可能な冷却ファンと、エバポレータと冷却フィンとから成る請求項１に記載の飲料水供給機における飲料水容器の冷却装置。
【請求項３】
前記容器収容部の下面を、飲料水容器本体の注出口側に向かって下向きに傾斜させた請求項１または２に記載の飲料水供給機における飲料水容器の冷却装置。    
【請求項４】
前記冷却装置上に載置する仕切りプレートは、前記飲料水容器本体の注出口側を除き、他の底面側周囲を囲む仕切り枠を設け、この仕切り枠の側面に冷風を仕切り枠の外側に流出させる複数の流出穴を設けた請求項１，２または３に記載の飲料水供給機における飲料水容器の冷却装置。
【請求項５】
前記冷却装置は、一辺が開口した枠体の内側に、開口側から冷却ファンとエバポレータ及び冷却フィンとを順次収容し、前記枠体の側面に冷風を外部に流出させる複数の穴を設け、前記冷却ファンからの送風をエバポレータ及び冷却フィンを介して所定の温度以下に冷却すると共に、この冷風を前記仕切りプレートを介して飲料水容器本体に直接供給して冷却すると共に、飲料水容器本体とケースとの空間を通して冷却する請求項１，２，３または４に記載の飲料水供給機における飲料水容器の冷却装置。
【発明の詳細な説明】
【技術分野】
【０００１】
この発明は、飲料水供給機における飲料水容器の冷却装置に係わり、更に詳しくは飲料水を収容した飲料水容器本体をケースと共に一定温度に冷却することが出来ると共に、飲料水容器本体に収容された飲料水を効率良く排出させることが出来る飲料水供給機における飲料水容器の冷却装置に関するものである。
【背景技術】
【０００２】
従来、飲料水を封入した注出栓を備えたビニール袋等の可撓性袋体をダンボール箱等の箱状ケース内に収容して成る飲料水容器本体を飲料水供給機本体の容器収容室に配設し、前記可撓性袋体内の飲料水を容器収容室に設けた冷却手段により冷却する一方、前記飲料水供給機本体に設けた加熱手段により飲料水を一定温度に加熱して、注出口から冷水及び温水を注出させるようにした飲料水供給機（ウォーターサーバーと呼称されている）が知られている（例えば、特許文献１参照）。
【０００３】
ところで、従来の飲料水供給機においては、大気温度で保管されていた飲料水容器本体を飲料水供給機本体の容器収容室に載置しても、容器収容室に設置された冷却手段により一定温度以下に冷却されるためには数時間が必要となり、特に飲料水容器本体の交換時に即座に冷水を注出させることが出来ないと言う問題があった。
【０００４】
そこで、従来においては予め可撓性袋体を入れた別の箱状ケースを、飲料水供給機に付設された冷蔵庫や、別の冷蔵庫により入れて一定温度に冷却しておき、飲料水容器本体の交換時には、冷蔵庫から冷却された飲料水容器本体を取り出してセットすることにより即座に冷水を注出させるようにしている。
【０００５】
しかし、飲料水供給機に冷蔵庫を付設したり、別の冷蔵庫が必要とする場合には、飲料水供給機が大型化したり、設置スペースが広く必要となり、また設備コストも高くなると言う問題があった。
【特許文献１】特開２００３−２０６０００
【発明の開示】
【発明が解決しようとする課題】
【０００６】
この発明はかかる従来の問題点に着目し、飲料水容器本体を予め冷却するための装置等を備えることなく飲料水容器本体内の飲料水を短時間に効率良く冷却して、特に飲料水容器本体の交換時にも短時間に冷却水を注出させることが出来る飲料水供給機における飲料水容器の冷却装置を提供することを目的とするものである。
【課題を解決するための手段】
【０００７】
この発明は上記目的を達成するため、飲料水を封入した可撓性袋体を箱状ケース内に収容して成る飲料水容器本体を飲料水供給機本体の容器収容室に配設し、前記可撓性袋体内の飲料水を容器収容室に設けた冷却手段により冷却し、容器収容部の下方に配置した注出口から冷水を注出させるように構成した飲料水供給機における飲料水容器の冷却装置であって、前記容器収容部の下部に冷風を送風する冷却装置を設置すると共に、この冷却装置上に仕切りプレートを介して飲料水を封入した可撓性袋体を収容した箱状ケースを載置し、この箱状ケースに、冷風を取り入れて循環させながら飲料水容器本体内の飲料水を冷却する冷却経路と、冷風を箱状ケースと容器収容部との間に排気させ、前記冷却手段に戻す冷風循環経路を設けたことを要旨とするものである。
【０００８】
ここで、前記冷却装置が、回転駆動可能な冷却ファンと、エバポレータと冷却フィンとから構成し、前記容器収容部の下面を、飲料水容器本体の注出口側に向かって下向きに傾斜させて構成するものである。
【０００９】
また前記冷却装置上に載置する仕切りプレートは、前記飲料水容器本体の注出口側を除き、他の底面側周囲を囲む仕切り枠を設け、この仕切り枠の側面に冷風を仕切り枠の外側に流出させる複数の流出穴を設け、前記冷却装置は、一辺が開口した枠体の内側に、開口側から冷却ファンとエバポレータ及び冷却フィンとを順次収容し、前記枠体の側面に冷風を外部に流出させる複数の穴を設け、前記冷却ファンからの送風をエバポレータ及び冷却フィンを介して所定の温度以下に冷却すると共に、この冷風を前記仕切りプレートを介して飲料水容器本体に直接供給して冷却すると共に、飲料水容器本体とケースとの空間を通して冷却するものである。
【００１０】
このように構成することで、特に飲料水容器本体を予め冷却するための装置等を備えることなく飲料水容器本体内の飲料水を短時間に効率良く冷却して、特に飲料水容器本体の交換時にも短時間に冷却水を注出させることが出来る。
【発明の効果】
【００１１】
この発明は、上記のように容器収容部の下部に冷風を送風する冷却装置を設置すると共に、この冷却装置上に仕切りプレートを介して飲料水を封入した可撓性袋体を収容した箱状ケースを載置し、この箱状ケースに、冷風を取り入れて循環させながら飲料水容器本体内の飲料水を冷却する冷却経路と、冷風を箱状ケースと容器収容部との間に排気させ、前記冷却手段に戻す冷風循環経路を設けたので、予め飲料水容器本体を一定温度に冷却しておくための冷蔵庫等を付設したり、設置する必要がなく、飲料水容器本体を交換した時にも短時間で冷水を注出させることが出来、また設備自体も大型化せず、安価に製造することが出来る効果がある。
【発明を実施するための最良の形態】
【００１２】
以下、添付図面に基づき、この発明の実施形態を説明する。
図１は、この発明を実施した飲料水供給機全体の概略構成図、図２は飲料水供給機の一部拡大断面図、図３は飲料水供給機に組み込まれた飲料水容器本体と冷却装置との分解斜視図を示し、前記飲料水供給機１（この実施形態の大ききとしては、例えば、タテ×ヨコ×高さは、380 ×350 ×530(mm))は、外郭ケース２の上部に開閉扉３を備えた容器収容室４を設け、この容器収容室４内には、飲料水Ｗ（この実施形態では、例えば、１０リットル) を封入した注出栓５を備えたビニール袋等で構成された可撓性袋体６を収容したダンボール箱等の箱状ケース７から成る飲料水容器本体８（この実施形態の一つとして、例えば、タテ×ヨコ×高さは、300 ×270 ×150(mm))が着脱可能に収容される。
【００１３】
前記容器収容室４の内壁と箱状ケース７から成る飲料水容器本体８の外周面との間には、所定の空間が形成され、この空間を利用して冷風Ｑの冷風循環通路１０ａを形成するものである。
【００１４】
前記可撓性袋体６を収容した箱状ケース７から成る飲料水容器本体８は、図２及び図３に示す冷却手段９により箱状ケース７と共に可撓性袋体６内に収容された飲料水Ｗが冷却されるようになっており、この実施形態の飲料水供給機１は、一定温度（例えば、５°Ｃ以下）に冷却された飲料水Ｗのみが、前記注出栓５を備えた注出口５ａから何時でも注出出来るように構成されている。
【００１５】
前記可撓性袋体６を収容した箱状ケース７は、箱状ケース７の内壁面と可撓性袋体６との間に冷風Ｑの循環通路１０を形成すると共に、箱状ケース７の側面の一部には可撓性袋体６の注出栓５が突出する切欠部７ａを形成し、底面の一部には、可撓性袋体６の底面が露出する切欠穴７ｂが形成され、更に上面の後方には、冷風循環経路１０ａに連通する冷風通気穴７ｃが形成されている。
【００１６】
前記容器収容部４の下面４ａは、飲料水容器本体８の注出口５ａ側に向かって下向きに傾斜させてあり、可撓性袋体６内の飲料水Ｗが自重により下方側に効率良く流出するように構成されている。
【００１７】
また前記冷却手段９は、仕切りプレート１１と冷却装置１２とで構成され、冷却装置１２上に仕切りプレート１１を介して可撓性袋体６を収容した箱状ケース７を着脱可能に載置するものである。前記冷却装置１２は、前記容器収容部４の下面４ａに収容可能に構成された枠体１３内に回転駆動可能な一対の冷却ファン１４Ａと、エバポレータ１４と複数枚のアルミニュウム板から成る冷却フィン１５とが収容され、一対の冷却ファン１４Ａは図示しない駆動モータにより所定の速度で回転してエアーＡをエバポレータ１４及び冷却フィン１５側に送風するようになっている。
【００１８】
前記枠体１３の側面には、複数の貫通穴１３ａが形成され、また前記配管されたエバポレータ１４内には、図示しない圧縮ポンプから供給された冷媒が循環し、冷媒の気化熱により冷却フィン１５を介して前記冷却ファン１４Ａから送風されるエアーＡを冷却すると共に、一定温度に冷却された冷風Ｑの一部は、可撓性袋体６の底面に直接接触して可撓性袋体６内の飲料水Ｗを冷却し、また冷風Ｑは矢印のように流動して箱状ケース７の内壁面と可撓性袋体６との間の循環通路１０に流入するように構成されている。
【００１９】
また、前記冷却装置１２上に載置する仕切りプレート１１の後部側には、熱伝導率の良いアルミニュウム板により構成され、冷風Ｑの流通路１１ａを備えると共に、中央には冷風Ｑが流入する切欠部１１ｂが形成してある。
【００２０】
前記冷却装置１２の枠体１３の上面に載置するように構成され、この仕切りプレート１１は、飲料水容器本体８の注出口５ａ側を除き、他の底面側周囲を囲む仕切り枠１６を設け、この仕切り枠１６の周面に冷風Ｑを囲い、仕切り枠１６の外側に流出させる複数の流出穴１７が設けてある。
【００２１】
次に、上記のような構成から成る飲料水供給機１により、可撓性袋体６を収容した箱状ケース７から成る飲料水容器本体８を冷却する方法について説明する。なお、矢印Ａは冷却ファン１４Ａから送風されるエアー、矢印Ｑは冷却装置１２により冷却された冷風を示し、更に図３において、(a) 〜(g) は冷風Ｑの流れる順序を示している。
【００２２】
また、飲料水供給機１の容器収容部４の下面４ａには、冷却装置１２と仕切りプレート１１とが積層された状態で収容され、この仕切りプレート１１上に可撓性袋体６を収容した箱状ケース７から成る飲料水容器本体８を設置する。
【００２３】
図２及び図３において、予め飲料水供給機１の駆動装置（圧縮ポンプや駆動モータ）を駆動させて容器収容室４を冷却した状態にするか、または冷却しない状態の容器収容室４内に、可撓性袋体６を収容した箱状ケース７から成る飲料水容器本体８を収容して開閉扉３を閉じ、このような状態から飲料水容器本体８の冷却を開始する。
【００２４】
先ず図示しない駆動装置を駆動させて冷却ファン１４Ａを作動させてエアーＡを矢印方向に送風させ（ステップ(a))、一方エバポレータ１４と冷却フィン１５とで、冷却ファン１４Ａから送られるエアーＡを一定温度（例えば、５°Ｃ以下）に冷却し、前記冷却装置１２により冷却された冷風Ｑは仕切りプレート１１上の仕切り枠１６の内側に流れ込む（ステップ(b))。
【００２５】
仕切り枠１６の内側に流れ込んだ冷風Ｑは、箱状ケース７の底面から露出する可撓性袋体６の底面に接触して飲料水Ｗを直接冷却し、冷風Ｑの一部は仕切り枠１６に設けた複数の流出穴１７から箱状ケース７の内壁面と可撓性袋体６との間の循環通路１０に流入して循環しながら箱状ケース７と可撓性袋体６との全体を冷却する（ステップ(c),(d))。
【００２６】
前記循環通路１０に流入した冷風Ｑは、箱状ケース７に形成した冷風通気穴７ｃから箱状ケース７と外郭ケース２との間の容器収容室４に形成された冷風循環通路１０ａに流入し（（ステップ(f))、箱状ケース７の背面側を通って再び冷却ファン１４Ａに入って温度が低下した冷風Ｑを再度冷却するように循環させる。
【００２７】
このような冷風Ｑの循環作用により、箱状ケース７内に収容された可撓性袋体６の飲料水Ｗを短時間に冷却でき、従って予め飲料水容器本体８を一定温度に冷却しておくための冷蔵庫等を付設したり、設置する必要がなく、飲料水容器本体８を交換した時にも短時間で冷水を注出させることが出来る。
【図面の簡単な説明】
【００２８】
【図１】この発明を実施した飲料水供給機全体の概略構成図である。
【図２】飲料水供給機の一部拡大断面図である。
【図３】飲料水供給機に組み込まれた飲料水容器本体と冷却装置との分解斜視図である。
【符号の説明】
【００２９】
１  飲料水供給機                  ２  外郭ケース
３  開閉扉                        ４  容器収容室
４ａ  下面                        ５ａ  注出口
５  注出栓                        ６  可撓性袋体
７  箱状ケース                    ８  飲料水容器本体
７ａ  切欠部                      ７ｂ  切欠穴
７ｃ  冷風通気穴                    ９  冷却手段  
１０  循環通路                  １０ａ  冷風循環通路
１１  仕切りプレート              １２  冷却装置
１１ａ  流通路                    １１ｂ  切欠部
１３  枠体                      １３ａ  貫通穴
１４Ａ  冷却ファン                  １４  エバポレータ
１５  冷却フィン                  １６  仕切り枠
１７  流出穴                        Ｑ  冷風
Ａ  エアー                        Ｗ  飲料水
【図１】
2007230625.tif 000003
【図２】
2007230625.tif 000004
【図３】
2007230625.tif 000005